(57)【特許請求の範囲】
【請求項１】
摺接パターンを形成すると共にクリック係合部を設けてなる静止側部材と、
前記静止側部材に対して回転自在に設置されると共に前記摺接パターンに摺接する摺動接点を有する摺動子板と前記クリック係合部に弾接するクリック弾接部を有するクリック板とを取り付けてなる回転側部材とを具備し、
前記摺動子板とクリック板とを重ね合わせた重合板を前記回転側部材に取り付け、
さらに、前記摺動子板は、中央に開口を有すると共に、この開口の周囲を囲むように摺動冊子を配置し、この摺動冊子中に前記摺動接点を設けて構成されており、
この摺動接点は前記摺動子板の前記クリック板を重ね合わせる面の反対面側に向かって突出し、
一方前記クリック板のクリック弾接部は、このクリック板を前記摺動子板と重ね合わせた際に、摺動子板の開口を貫通して前記摺動接点が突出している側に向けて突出することを特徴とする回転式電子部品。
【請求項２】
摺接パターンを形成すると共にクリック係合部を設けてなる静止側部材と、
前記静止側部材に対して回転自在に設置されると共に前記摺接パターンに摺接する摺動接点を有する摺動子板と前記クリック係合部に弾接するクリック弾接部を有するクリック板とを取り付けてなる回転側部材とを具備し、
前記摺動子板とクリック板とを重ね合わせた重合板を前記回転側部材に取り付け、
さらに、前記静止側部材に設けた軸支孔に前記回転側部材に設けた軸部を挿入することによって回転側部材を回動自在に軸支すると共に、
前記軸部の外径よりも外径の大きい部分を有する前記重合板を、前記軸部の前記軸支孔を貫通されて突出する部分に取り付けることで、前記軸部の前記軸支孔からの抜けを防止したことを特徴とする回転式電子部品。
【請求項３】
請求項２に記載の回転式電子部品において、
前記回転側部材は、前記軸部を有する回転体を具備して構成され、
一方前記静止側部材は、前記軸支孔を設けたケースと、このケースの下部に設置され前記摺接パターンを形成した回路基板とを具備して構成され、
前記回転体の軸部を前記ケースの軸支孔に挿入して貫通されて突出する部分に前記重合板を取り付け、
さらに前記回路基板の摺接パターンを設けた内側位置に前記クリック係合部を配置したことを特徴とする回転式電子部品。
【請求項４】
摺接パターンを形成すると共にクリック係合部を設けてなる静止側部材と、
前記静止側部材に対して回転自在に設置されると共に前記摺接パターンに摺接する摺動接点を有する摺動子板と前記クリック係合部に弾接するクリック弾接部を有するクリック板とを取り付けてなる回転側部材とを具備し、
前記摺動子板とクリック板とを重ね合わせた重合板を前記回転側部材に取り付け、
さらに、前記回転側部材は、中央に開口部を有する回転体を具備して構成され、
一方前記静止側部材は、前記回転体の下部に設置され前記摺接パターンを形成した回路基板と、前記回路基板の前記摺接パターンを設けた中央位置に立設する軸部とこの軸部から半径方向外方であって前記回転体の上面側に張り出す表示部とを有する表示部材とを具備して構成され、
前記回転体の前記回路基板に対向する側の面に前記重合板を取り付け、
前記回路基板の摺接パターンを設けた内側の前記軸部の周囲の位置に前記クリック係合部を配置したことを特徴とする回転式電子部品。
【請求項５】
請求項３又は４に記載の回転式電子部品において、
前記クリック板は、リング形状に形成され前記摺動子板と重なる取付部と、前記取付部の中央の開口内に設置される前記クリック弾接部と、前記取付部とクリック弾接部間を連結する連結部とを具備して構成されていることを特徴とする回転式電子部品。
【発明の詳細な説明】
【技術分野】
【０００１】
本発明は、厚みの薄型化に好適なクリック機構付きの回転式電子部品に関するものである。
【背景技術】
【０００２】
車載用ナビゲーションシステム，コンピュータ，各種携帯機器，各種ＯＡ機器，ゲーム機等を操作するデバイスとして、例えば特許文献１の図１に示す多機能型電子部品（１）がある。この多機能型電子部品（１）は、回転式電子部品の回転つまみ（１００）の中央に、押圧式電子部品の押釦つまみ（７０）を設置し、さらに回転つまみ（１００）の上面を押圧して揺動することで操作する揺動式電子部品を具備して構成されている。この多機能型電子部品（１）によれば、回転式電子部品の機能と押圧式電子部品の機能と揺動式電子部品の機能とを兼ね備えた多機能型電子部品をコンパクトに構成することができる。
【０００３】
そしてこの多機能型電子部品（１）においては、回転つまみ（１００）と取付台（１５０）の間に摺動子（１１０）及び摺接パターン（１７９）からなる検出手段を設置し、一方表示部材（１０）の表示部（１１）と回転つまみ（１００）の間にクリック板（４０）及びクリック係合部（１０７）からなるクリック機構を設置している。
【先行技術文献】
【特許文献】
【０００４】
【特許文献１】特開２０１０−１４０６８９号公報
【発明の概要】
【発明が解決しようとする課題】
【０００５】
しかしながら上記特許文献１に示す従来の多機能型の電子部品は、検出手段とクリック機構をそれぞれ回転つまみ（１００）の上下に形成した２つのスペースにそれぞれ設置しているので、電子部品の高さ方向（上下方向）の厚みの薄型化に限界があった。
【０００６】
また特許文献１の図１に示すように、表示部材（１０）の表示部（１１）の下面に設置したクリック板（４０）と、クリック板（４０）の弾接部（４９）が弾接する回転つまみ（１００）のクリック係合部（１０７）とによって構成されるクリック機構を、回転つまみ（１００）の外周近傍位置に設けているので、その外径の小型化が図り難かった。
【０００７】
本発明は上述の点に鑑みてなされたものでありその目的は、厚みの薄型化が図れ、また外径の小型化が図れる回転式電子部品を提供することにある。
【課題を解決するための手段】
【０００８】
本願請求項１に記載の発明は、摺接パターンを形成すると共にクリック係合部を設けてなる静止側部材と、前記静止側部材に対して回転自在に設置されると共に前記摺接パターンに摺接する摺動接点を有する摺動子板と前記クリック係合部に弾接するクリック弾接部を有するクリック板とを取り付けてなる回転側部材とを具備し、前記摺動子板とクリック板とを重ね合わせた重合板を前記回転側部材に取り付け、さらに、前記摺動子板は、中央に開口を有すると共に、この開口の周囲を囲むように摺動冊子を配置し、この摺動冊子中に前記摺動接点を設けて構成されており、この摺動接点は前記摺動子板の前記クリック板を重ね合わせる面の反対面側に向かって突出し、一方前記クリック板のクリック弾接部は、このクリック板を前記摺動子板と重ね合わせた際に、摺動子板の開口を貫通して前記摺動接点が突出している側に向けて突出することを特徴とする回転式電子部品にある。
【００１０】
本願請求項２に記載の発明は、摺接パターンを形成すると共にクリック係合部を設けてなる静止側部材と、前記静止側部材に対して回転自在に設置されると共に前記摺接パターンに摺接する摺動接点を有する摺動子板と前記クリック係合部に弾接するクリック弾接部を有するクリック板とを取り付けてなる回転側部材とを具備し、前記摺動子板とクリック板とを重ね合わせた重合板を前記回転側部材に取り付け、さらに、前記静止側部材に設けた軸支孔に前記回転側部材に設けた軸部を挿入することによって回転側部材を回動自在に軸支すると共に、前記軸部の外径よりも外径の大きい部分を有する前記重合板を、前記軸部の前記軸支孔を貫通されて突出する部分に取り付けることで、前記軸部の前記軸支孔からの抜けを防止したことを特徴とする回転式電子部品にある。
【００１１】
本願請求項３に記載の発明は、請求項２に記載の回転式電子部品において、前記回転側部材は、前記軸部を有する回転体を具備して構成され、一方前記静止側部材は、前記軸支孔を設けたケースと、このケースの下部に設置され前記摺接パターンを形成した回路基板とを具備して構成され、前記回転体の軸部を前記ケースの軸支孔に挿入して貫通されて突出する部分に前記重合板を取り付け、さらに前記回路基板の摺接パターンを設けた内側位置に前記クリック係合部を配置したことを特徴とする回転式電子部品にある。
【００１２】
本願請求項４に記載の発明は、摺接パターンを形成すると共にクリック係合部を設けてなる静止側部材と、前記静止側部材に対して回転自在に設置されると共に前記摺接パターンに摺接する摺動接点を有する摺動子板と前記クリック係合部に弾接するクリック弾接部を有するクリック板とを取り付けてなる回転側部材とを具備し、前記摺動子板とクリック板とを重ね合わせた重合板を前記回転側部材に取り付け、さらに、前記回転側部材は、中央に開口部を有する回転体を具備して構成され、一方前記静止側部材は、前記回転体の下部に設置され前記摺接パターンを形成した回路基板と、前記回路基板の前記摺接パターンを設けた中央位置に立設する軸部とこの軸部から半径方向外方であって前記回転体の上面側に張り出す表示部とを有する表示部材とを具備して構成され、前記回転体の前記回路基板に対向する側の面に前記重合板を取り付け、前記回路基板の摺接パターンを設けた内側の前記軸部の周囲の位置に前記クリック係合部を配置したことを特徴とする回転式電子部品にある。
【００１３】
本願請求項５に記載の発明は、請求項３又は４に記載の回転式電子部品において、前記クリック板は、リング形状に形成され前記摺動子板と重なる取付部と、前記取付部の中央の開口内に設置される前記クリック弾接部と、前記取付部とクリック弾接部間を連結する連結部とを具備して構成されていることを特徴とする回転式電子部品にある。
【発明の効果】
【００１４】
請求項１に記載の発明によれば、摺動子板とクリック板とを重ね合わせて設置したので、摺動子板などからなる検出手段と、クリック板などからなるクリック機構とを重合板の一方の面側の同一のスペースまたは重合板を挟んだ上下に接するスペースに設置でき、これによって電子部品の厚みの薄型化が図れる。
また重合板をクリック板と摺動子板とを重ね合わせて構成するので、クリック板に求められる機能と摺動子板に求められる機能の両機能を何れも確実に発揮させることができる。即ち摺動子板は電気的機能部を構成するので接触抵抗が低く且つバネ性のある材料（例えばリン青銅板）が要求されるが、クリック板はバネ性のみがあればよいので安価な材料（例えばステンレス板）で作成でき、これによって重合板全体のコストを低減化することができる。またクリック板と摺動子板のそれぞれに必要とされる弾発力等を得るためにそれらの厚みをそれぞれ独立して設定できる。
【００１５】
請求項１に記載の発明によれば、摺動子板の摺動接点とクリック板のクリック弾接部が同一方向を向くので、検出手段とクリック機構を重合板の一方の面側の同一のスペースに設置できる。これによって電子部品の厚みの薄型化が図れる。
またクリック板のクリック弾接部が摺動子板の開口を貫通する構成なので、摺動子板の摺動接点の内側の空きスペースにクリック弾接部及びこれが弾接するクリック係合部を配置できる。これによって電子部品の外径の小型化が図れる。
【００１６】
請求項２に記載の発明によれば、摺動子板とクリック板を重ねてなる重合板に、静止側部材の軸支孔から回転側部材の軸部が抜けるのを防止する機能を持たせたので、別途専用の部品を用いて前記抜けを防止させる必要がなく、部品点数の削減が図れてコストダウンが図れ、また電子部品の薄型化が図れる。
【００１７】
請求項３に記載の発明によれば、ケースの軸支孔に回転体の軸部を回動自在に挿入して軸支し、且つケースの下側に回路基板を設置してなる構造の回転式電子部品に本発明を適用することができる。
【００１８】
請求項４に記載の発明によれば、回転体の中央に表示部材を配置し、回転体の下側に回路基板を設置してなる構造の回転式電子部品に本発明を適用することができる。
【００１９】
請求項５に記載の発明によれば、クリック板の取付部を摺動子板と重ね合わせるので、重合板の強度が増す。従ってこの重ね合わせた部分を回転側部材に取り付ければ、強固な取り付けが可能になる。同時にクリック弾接部の部分は摺動子板と重ね合わせなくても良いので、その弾性力（弾発力）が摺動子板との重ね合わせによって阻害されることはなく、効果的な弾性力が維持できる。
【図面の簡単な説明】
【００２０】
【図１】回転式電子部品１−１の概略側断面図（図２のＡ−Ａ概略断面図）である。
【図２】回転式電子部品１−１の斜視図である。
【図３】回転式電子部品１−１の上側の部品の分解斜視図である。
【図４】回転式電子部品１−１の下側の部品の分解斜視図である。
【図５】重合板２００のみを単独で下側から示す斜視図である。
【図６】回転式電子部品１−２の概略側断面図（図７のＢ−Ｂ概略断面図）である。
【図７】回転式電子部品１−２の斜視図である。
【図８】回転式電子部品１−２の上側の部品の分解斜視図である。
【図９】回転式電子部品１−２の下側の部品の分解斜視図である。
【図１０】重合板４００のみを単独で示す裏面図である。
【図１１】重合板６００−１を示す側断面図である。
【図１２】重合板６００−２を示す側断面図である。
【図１３】重合板６００−３を示す側断面図である。
【図１４】重合板６００−４を示す側断面図である。
【図１５】重合板６００−５を示す側断面図である。
【発明を実施するための形態】
【００２１】
以下、本発明の実施形態を図面を参照して詳細に説明する。
〔第１実施形態〕
図１は本発明の第１実施形態に係るクリック機能付きの回転式電子部品１−１の概略側断面図（図２のＡ−Ａ概略断面図）、図２は回転式電子部品１−１の斜視図、図３は回転式電子部品１−１の上側の部品の分解斜視図、図４は回転式電子部品１−１の下側の部品の分解斜視図である。なお以下の説明において、「上」とは摺動子板１１０から回転体（以下、各実施形態において「回転つまみ」という）１０を見る方向をいい、「下」とはその反対方向をいうものとする（下記する他の実施形態においても同様）。
【００２２】
これらの図に示すように回転式電子部品１−１は、回転体１０と、押釦つまみ３０と、ケース５０と、クリック板７０と、摺動子板１１０と、支持部材１３０と、取付台１５０と、回路基板（以下「フレキシブル回路基板」という）１７０と、保持部材（以下「保持板」という）１９０とを具備して構成されている。以下各構成部品について説明する。
【００２３】
回転つまみ１０は合成樹脂の成形品であり、略円板状の本体部１１の中央に円形の開口部１３を設けて構成されている。開口部１３は、下記する押釦つまみ３０の本体部３１を挿通できるように本体部３１の外径寸法とほぼ同じ内径寸法を有しており、且つ本体部３１に設けた下記するつば部３７が上方に抜けないようにつば部３７の外径寸法よりも若干小さい内径寸法に形成されている。一方、本体部１１の外周には下方に突出する筒状の外周側壁部１６が形成され、また本体部１１の下面の開口部１３の周囲には筒状に突出する押釦つまみ収納部１５（図１参照）が形成され、押釦つまみ収納部１５の外周を囲む位置には筒状に突出する軸部１７（図１参照）が形成されている。押釦つまみ収納部１５の下端辺の１８０°対向する位置には、矩形凹状に切り欠かれてなる連結部挿入部１４（図３では２つの内の一方のみ示す）が形成されている。軸部１７の下端辺の複数位置（下記するクリック板７０の各被取付部８１に対応する位置）には、この回転つまみ１０にクリック板７０と摺動子板１１０とを取り付ける図示しない小突起状の取付部が設けられている。
【００２４】
押釦つまみ３０は合成樹脂の成形品であり、略円板状の本体部３１と、本体部３１の下面中央から下方向に向かって突出する柱状の押圧部３３とを具備し、本体部３１の外周面の下部に薄板リング状に張り出すつば部３７を設けて構成されている。
【００２５】
ケース５０は合成樹脂の成形品であり、円形平板状の上面部５１を備え、上面部５１の中央に回転つまみ１０の軸部１７をその内部に挿入して回動自在に軸支する円形の軸支孔５３を設け、また上面部５１の外周に下方向に向かって突出する筒状の側壁部５５を設け、側壁部５５の下端辺の複数位置に下記する取付台１５０に取り付けられる小突起状の取付台取付部５７を設けて構成されている。軸支孔５３の内周部分は下方向に筒状に突出しており、そのリング状の下端面がクリック板当接部５９（図１参照）となっている。
【００２６】
クリック板７０は１枚の弾性金属板（例えば厚み０．１mm程度のステンレス板）製であり、リング形状に形成された取付部７１と、取付部７１の中央の円形の開口７３内に設置されたリング形状の弾接アーム部７５とを、一対の連結部７７によって連結して構成されている。一対の連結部７７は、１８０°対向する位置において、取付部７１の内周辺と弾接アーム部７５の外周辺とを連結している。弾接アーム部７５の１８０°対向する位置（連結部７７より９０°回転した位置）には、それぞれ下方向に向かって凸状に湾曲・突出してなるクリック弾接部７９が設けられている。取付部７１の外径寸法は、ケース５０の軸支孔５３の内径寸法よりも少し大きく構成されている。取付部７１の前記回転つまみ１０の各取付部（図示せず）に対向する位置には、各取付部を挿入する小孔からなる被取付部８１が設けられている。
【００２７】
摺動子板１１０は弾性金属板（例えば厚み０．１mm程度のリン青銅板）製であり、前記クリック板７０の取付部７１の外径寸法よりも若干小さな外径寸法を有する略円形の平板リング状に形成され、中央に開口１１１を設けると共に、等間隔（１２０°間隔）の３か所の位置（クリック板７０の各被取付部８１に対向する位置）に小孔からなる取付固定部１１３を設け、また各取付固定部１１３の側部から３本ずつの摺動冊子１１５を摺動子板１１０の開口１１１の周囲を囲むように配置して構成されている。各組の摺動冊子１１５中の先端近傍部分には摺動接点１１７が設けられている。
【００２８】
支持部材１３０は合成樹脂を略矩形状に成形し、その中央に略円形の開口１３１を設けて構成されている。支持部材１３０の下面の４つの角部近傍には、開口１３１につながる４つの凹状の係合部１３５が設けられている。係合部１３５は下記する取付台１５０の係合片１５９を上下動自在に挿入・係合する寸法形状に形成されている。支持部材１３０の下面の下記する保持板１９０の各挿入取付部１９１に対向する位置（６か所）には、小突起状の取付部１３７が設けられている。
【００２９】
取付台１５０は合成樹脂を略円板状に成形して構成されており、ケース５０とほぼ同一の外径寸法を有している。取付台１５０の中央には押釦つまみ３０の押圧部３３を挿通して軸支する開口部１５１が設けられ、開口部１５１の周囲には上方向に向かって突出する筒状の突起からなる軸部１５３が設けられている。一方ケース５０の各取付台取付部５７に対向する複数の位置（この例では４か所の位置）には、貫通孔からなる取付部１５７が設けられ、また外周の所定位置（この例では各取付部１５７の外側の４か所の位置であって、前記支持部材１３０の各係合部１３５に対向する位置）には、半径方向外方に向かって突出する係合片１５９が設けられている。取付台１５０の下面の各取付部１５７の間の所定位置（各取付部１５７間の中間位置、下記する第２回路基板部１７５の各押圧スイッチ１８５に対向する位置）には、下方向に向かって突出する柱状の押圧部１６３（図１参照）が設けられている。取付台１５０の上面の前記軸部１５３の周囲には、複数の凹凸をリング状に形成してなるクリック係合部１６５が設けられている。
【００３０】
フレキシブル回路基板１７０は可撓性を有する合成樹脂フイルム上に所望の回路パターンを設けて構成されており、この例では熱可塑性のＰＥＴ（ポリエチレンテレフタレート）フイルムを用いているが、他の各種熱可塑性、熱硬化性、光硬化性の合成樹脂フイルムを用いて構成してもよい（下記するフレキシブル回路基板４３０においても同様）。フレキシブル回路基板１７０は、摺接パターン１７９（図１参照）が形成された第１回路基板部１７１と、中央スイッチ１８３とその周囲を囲む４つの押圧スイッチ１８５とが形成された第２回路基板部１７５とを、帯状の連結部１７３によって連結して構成されている。なお図４では第１回路基板部１７１が上下逆向きとなっているため、摺接パターン１７９は見えない。
【００３１】
第１回路基板部１７１は略円形の外形を有し、中央に取付台１５０の軸部１５３とクリック係合部１６５とを挿通（露出）する円形の開口部１７７を設け、またその下面の開口部１７７の周囲に摺接パターン１７９（図１参照）を設けて構成されている。摺接パターン１７９は、スイッチパターンや抵抗体パターンなどである。第１回路基板部１７１の前記ケース５０の各取付台取付部５７に対向する４か所の位置には、貫通孔または切り欠きからなる挿通部１８１が設けられている。
【００３２】
第２回路基板部１７５は第１回路基板部１７１とほぼ同じ大きさで略矩形状の外形を有し、その上面（摺接パターン１７９を設けた反対側の面）の中央に中央スイッチ１８３を設置し、中央スイッチ１８３の周囲の複数の位置（この例では同一円周上の等間隔（９０°間隔）の４か所の位置）に押圧スイッチ１８５を設置して構成されている。両スイッチ１８３，１８５は何れも、図示しない一対のスイッチ接点上に弾性金属板をドーム形状に形成してなる反転板（可動接点板）を取り付けて構成されており、反転板を押圧してこれを反転することでスイッチがオンする構造となっている。また第２回路基板部１７５の前記支持部材１３０の取付部１３７（その内の３つ）に対向する位置には、貫通孔からなる挿通部１８７が形成されている。なお摺接パターン１７９と各スイッチ１８３，１８５の出力は図示しない回路パターンによって第２回路基板部１７５の外周に連結した帯状の引出部１８９に引き出されている。
【００３３】
保持板１９０は硬質板で構成され、この例では金属板（ステンレス板）を用いているが、合成樹脂板などの他の材質を用いてもよい。保持板１９０は略矩形状であり、第２回路基板部１７５を載置する寸法形状に形成され、前記支持部材１３０の各取付部１３７（６つ）に対向する位置に貫通孔からなる挿入取付部１９１を設けるとともに、それら以外の位置に２つの取付孔１９３を設けて構成されている。
【００３４】
次に回転式電子部品１−１の組立方法を説明する。まず回転つまみ１０の開口部１３の押釦つまみ収納部１５の下側から押釦つまみ３０の本体部３１を挿入し、その上面を開口部１３から回転つまみ１０の上面側に露出させる。次にこの回転つまみ１０の下側にケース５０を設置し、その際ケース５０の軸支孔５３内に回転つまみ１０の軸部１７を挿入することでケース５０の上部に回転つまみ１０を回動自在に設置する。
【００３５】
次にケース５０の下面側にクリック板７０を設置し、その際押釦つまみ３０の押圧部３３をクリック板７０の弾接アーム部７５の中央の孔に挿通させながらクリック板７０の一対の連結部７７を回転つまみ１０の連結部挿入部１４に挿入することで、弾接アーム部７５を押釦つまみ収納部１５内に収納すると同時に、クリック板７０の取付部７１を回転つまみ１０の軸部１７の下端辺上に当接し、その際軸部１７の下端辺に設けた図示しない各取付部を被取付部８１に挿通する。次にクリック板７０の下面側にこれに重ねるように摺動子板１１０を設置し、その際回転つまみ１０の前記図示しない各取付部を摺動子板１１０の各取付固定部１１３に挿入して回転つまみ１０の各取付部の先端を熱かしめすることで潰し、これによって重ね合わせたクリック板７０と摺動子板１１０によって構成される重合板２００を、回転つまみ１０の軸部１７の下端辺上に一体に固定する。このときクリック板７０の取付部７１はその外周近傍部分がケース５０のクリック板当接部５９に当接しており、従って軸部１７は軸支孔５３から抜けることはなく、回転つまみ１０と重合板２００はケース５０を挟んでその上下に位置し、ケース５０に対して一体に回動自在となる。なお押釦つまみ収納部１５はクリック板７０の弾接アーム部７５によって一部が塞がれるので、押釦つまみ３０の本体部３１は押釦つまみ収納部１５内から抜け出ることはない。
【００３６】
図５は重合板２００のみを単独で下側から示す斜視図である。同図に示すように重合板２００は、摺動子板１１０の摺動接点１１７を、この摺動子板１１０のクリック板７０を重ね合わせる面の反対面側に向かって突出させ、一方クリック板７０のクリック弾接部７９を、このクリック板７９を摺動子板１１０と重ね合わせた際に、摺動子板１１０の開口１１１を貫通して前記摺動接点１１７が突出している側に向けて突出させる構成としている。
【００３７】
次に図４に示すフレキシブル回路基板１７０の第１回路基板部１７１をその下面を上に向けた状態で取付台１５０上に載置し、その際第１回路基板部１７１の開口部１７７に取付台１５０の軸部１５３及びクリック係合部１６５を挿通し、これらを回転つまみ１０等を取り付けたケース５０の下側に設置する。その際ケース５０の各取付台取付部５７を第１回路基板部１７１の各挿通部１８１と取付台１５０の各取付部１５７に挿入し、取付台１５０の下面から突出する各取付台取付部５７の先端を熱かしめして固定する。このとき押釦つまみ３０の押圧部３３は取付台１５０の軸部１５３の内部（開口部１５１内）に挿入され押圧部３３の下端は取付台１５０の下面に露出する。次に連結部１７３を折り曲げることで第２回路基板部１７５を取付台１５０の下面側に設置し、さらに第２回路基板部１７５の下面側に保持板１９０を設置した上で、回転つまみ１０の上部から被せるように支持部材１３０を第２回路基板部１７５上に載置する。このとき支持部材１３０の開口１３１内に前記ケース５０や取付台１５０等が設置され、また支持部材１３０の各係合部１３５内に取付台１５０の各係合片１５９が上下動自在に挿入され、さらに支持部材１３０の各取付部１３７が第２回路基板部１７５の各挿通部１８７と保持板１９０の各挿通部１９１に挿入される。そして保持板１９０の下面から突出する各取付部１３７の先端を熱かしめすれば、回転式電子部品１−１の組み立てが完了する。なお上記組立手順はその一例であり、他の各種異なる組立手順を用いて組み立てても良いことはいうまでもない（下記する他の例においても同様）。
【００３８】
これによりケース５０の上部に設置した回転つまみ１０と、ケース５０の下部に設置した重合板２００が、ケース５０の上下でケース５０に対して一体に回転自在に設置される。またクリック板７０のクリック弾接部７９は取付台１５０のクリック係合部１６５に弾接係合した状態となり、また摺動子板１１０の摺動接点１１７は第１回路基板部１７１の摺接パターン１７９に当接した状態となる。また押釦つまみ３０の押圧部３３の下面は中央スイッチ１８３の反転板に当接し、つば部３７の上面は回転つまみ１０の下面に接近又は当接している。また取付台１５０は各押圧部１６３が各押圧スイッチ１８５の反転板に当接して水平状態を保っている。
【００３９】
そして回転つまみ１０を回転すれば、重合板２００が回転つまみ１０と一体に回転し、摺動子板１１０の摺動接点１１７が摺接パターン１７９上を摺動して摺接パターン１７９の電気的出力が変化する。同時にクリック板７０のクリック弾接部７９が取付台１５０のクリック係合部１６５に弾接係合してクリック感覚が生じる。即ち前記摺動子板１１０と摺接パターン１７９によって回転式電子部品の出力を取り出す検出手段が構成されており、一方クリック板７０とクリック係合部１６５によって回転式電子部品のクリック機構が構成されている。
【００４０】
一方押釦つまみ３０の本体部３１を押圧すれば、その押圧部３３が中央スイッチ１８３の反転板を押圧してこれを反転し、中央スイッチ１８３がオンする。押釦つまみ３０への押圧を解除すれば反転板の弾性復帰力によって中央スイッチ１８３はオフし、押釦つまみ３０は元の位置に自動復帰する。また回転つまみ１０の上面の取付台１５０の４か所の押圧部１６３の何れかに対応する部分を押圧すれば、ケース５０や押釦つまみ３０等、取付台１５０上に設置されている各構成部品が取付台１５０と一体に押圧された方向に傾いて揺動し、下降した側の押圧部１６３が対向する押圧スイッチ１８５の反転板を押圧してこれを反転し、押圧スイッチ１８５がオンする。回転つまみ１０への押圧を解除すれば、反転している反転板の弾性復帰力によって回転つまみ１０及び取付台１５０等の各構成部品が一体に元の水平位置に自動復帰し、押圧スイッチ１８５はオフする。
【００４１】
ここで回転つまみ１０及びこれと一体に回転する重合板２００を回転側部材といい、回転つまみ１０の回転方向に対して静止しているそれ以外の各構成部品、即ち押釦つまみ３０，ケース５０，支持部材１３０，取付台１５０，フレキシブル回路基板１７０（第１，第２回路基板部１７１，１７５），保持板１９０を静止側部材ということとすると、上記回転式電子部品１−１は、摺接パターン１７９を形成すると共にクリック係合部１６５を設けてなる静止側部材と、静止側部材に対して回転自在に設置されると共に前記摺接パターン１７９に摺接する摺動接点１１７を有する摺動子板１１０と前記クリック係合部１６５に弾接するクリック弾接部７９を有するクリック板７０とを取り付けてなる回転側部材とを具備し、前記摺動子板１１０とクリック板７０とを重ね合わせた重合板２００を前記回転側部材に取り付けて構成されているということができる。このように摺動子板１１０とクリック板７０とを重ね合わせて設置したので、摺動子板１１０などからなる検出手段と、クリック板７０などからなるクリック機構とを重合板２００の一方の面側の同一のスペース（回転つまみ１０と取付台１５０の間の隙間スペース）に設置でき、これによって回転式電子部品１−１の厚みの薄型化が図れる。
【００４２】
即ちこの回転式電子部品１−１においては、摺動子板１１０を、中央に開口１１１を有すると共にこの開口１１１の周囲を囲むように摺動冊子１１５を配置し、この摺動冊子１１５中に摺動接点１１７を設けて構成し、さらにこの摺動接点１１７を摺動子板１１０のクリック板７０を重ね合わせる面の反対面側に向かって突出させ、一方クリック板７０のクリック弾接部７９を、このクリック板７０を摺動子板１１０と重ね合わせた際に、摺動子板１１０の開口１１１を貫通して摺動接点１１７が突出している側に向けて突出するように構成している。このように構成したので、摺動子板１１０の摺動接点１１７とクリック板７０のクリック弾接部７９が同一方向を向き、これによって検出手段とクリック機構を前述のように重合板２００の一方の面側の同一のスペースに設置できる。従って、上記特許文献１の多機能型の電子部品のように回転つまみの上下のスペースにそれぞれ検出手段とクリック機構とを設置する必要がなく、回転式電子部品１−１の厚みの薄型化が図れる。またクリック板７０のクリック弾接部７９が摺動子板１１０の開口１１１を貫通する構成なので、摺動子板１１０の摺動接点１１７の内側の空きスペースにクリック弾接部７９及びこれが弾接するクリック係合部１６５を配置でき、これによって回転式電子部品１−１の外径の小型化が図れる。
【００４３】
またこの回転式電子部品１−１は、静止側部材に設けた軸支孔５３に回転側部材に設けた軸部１７を挿入することによって回転側部材を回動自在に軸支すると共に、軸部１７の外径よりも外径の大きい部分を有する重合板２００を、軸部１７の軸支孔５３を貫通されて突出する部分に取り付け、これによって軸部１７の軸支孔５３からの抜けを防止している。このように摺動子板１１０とクリック板７０を重ねてなる重合板２００に、静止側部材の軸支孔５３から回転側部材の軸部１７が抜けるのを防止する機能を持たせたので、別途専用の部品を用いて前記抜けを防止させる必要がなく、部品点数の削減が図れてコストダウンが図れる。また上述のように別途抜け防止用の部品を介在させなくてよいので、この回転式電子部品１−１の薄型化も図れる。
【００４４】
またこの回転式電子部品１−１は、回転側部材が前記軸部１７を有する回転つまみ１０を具備して構成され、一方前記静止側部材が前記軸支孔５３を設けたケース５０と、このケース５０の下部に設置され前記摺接パターン１７９を形成した第１回路基板部１７１とを具備して構成され、前記回転つまみ１０の軸部１７を前記ケース５０の軸支孔５３に挿入して貫通されて突出する部分に前記重合板２００を取り付け、さらに前記第１回路基板部１７１の摺接パターン１７９を設けた内側位置にクリック係合部１６５を配置している。このように構成することによって、ケース５０の軸支孔５３に回転つまみ１０の軸部１７を回動自在に挿入して軸支し、且つケース５０の下側に第１回路基板部１７１を設置してなる構造の回転式電子部品１−１に本発明を効果的に適用することができる。
【００４５】
またこの回転式電子部品１−１は、クリック板７０を、リング形状に形成されて摺動子板１１０と重なる取付部７１と、取付部７１の中央の開口７３内に設置されるクリック弾接部７９と、取付部７１とクリック弾接部７９間を連結する連結部７７とを具備して構成している。このようにクリック板７０の取付部７１を摺動子板１１０と重ね合わせるので、重合板２００の強度が増す。従ってこの重ね合わせた部分を回転つまみ１０に取り付ければ強固な取り付けが可能となる。同時にクリック弾接部７９の部分は摺動子板１１０と重ね合わせなくても良いので、その弾性力（弾発力）が摺動子板１１０との重ね合わせによって阻害されることはなく、効果的な弾性力を維持できる。
【００４６】
ところで１枚の金属板に摺動子の機能とクリック板の機能を合わせ持たせることも可能である。しかしながらこのように構成すると、以下のような問題がある。即ちクリック弾接部の弾発力（即ちクリック感）と摺動子板の摺動接点の接触圧とを別々に独立して調整することが困難になり、両者の調整の自由度が小さくなってしまう。例えば板厚を厚くするとクリック感及び回転トルクは重く（強く）なるが、摺接パターンが削れてしまい、その摺動寿命が短くなる。一方板厚を薄くすると摺動寿命は延びるが、クリック感及び回転トルクは軽くなってしまう。これに対して本願発明のようにクリック板７０と摺動子板１１０とを２枚別部品にした場合は、クリック弾接部７９の弾発力（即ちクリック感）及び回転トルクの調整と摺動子板１１０の摺動接点１１７の接触圧の調整を別々に独立して行えるので、両者の調整の自由度が大きくなる。例えば摺動子板１１０は電気的機能部であるためそのバネ圧の管理を厳しくする必要があるが、クリック板７０は機械的なクリック感及び回転トルクが得られれば良いのでそのバネ圧の管理はそれほど厳しくする必要がない。つまり摺動子板１１０とクリック板７０のそれぞれの材質及び厚みを両者の目的に応じて自由に変更することができ、摺動接点１１７の接触圧の厳しい管理（その最大最小幅が狭い）と、クリック板７０のクリック弾発力、回転トルクの比較的厳しくない管理（その最大最小幅が広い）とを、容易に行うことができる。またクリック板７０を摺動子板１１０の材質（例えばリン青銅）よりも材料費の安い材料（例えばステンレス）で作成でき、コストの削減もできる。なお重合板としたこれら作用効果は、以下の各例においても同様に生じる。
【００４７】
〔第２実施形態〕
図６は本発明の第２実施形態に係る回転式電子部品１−２の概略側断面図（図７のＢ−Ｂ概略断面図）、図７は回転式電子部品１−２の斜視図、図８は回転式電子部品１−２の上側の部品の分解斜視図、図９は回転式電子部品１−２の下側の部品の分解斜視図である。
【００４８】
これらの図に示すように回転式電子部品１−２は、押釦つまみ３１０と、表示部材３３０と、回転体（以下「回転つまみ」という）３８０と、クリック板４１０と、摺動子板４２０と、第１回路基板部４３１と、取付台４５０と、第２回路基板部４３５と、支持部材（以下「保持板」という）５００とを具備して構成されている。以下各構成部品について説明する。なお第１回路基板部４３１と第２回路基板部４３５は１枚の回路基板（以下「フレキシブル回路基板」という）４３０によって構成されている。
【００４９】
押釦つまみ３１０は合成樹脂の成形品であり、略円板状の本体部３１１と、本体部３１１の下面中央から突出する柱状の押圧部３１３とを具備し、押圧部３１３の先端近傍の外周面からガイド突起３１７を突出して構成されている。
【００５０】
表示部材３３０は合成樹脂の成形品であり、下記する取付台４５０上に固定される軸部３５１（図６参照）と、軸部３５１の上部において半径方向外方に張り出す略円板状の表示部３３１とを有して構成されている。
【００５１】
図６に示すように、表示部３３１の下面には、２つのリング状の突起が下記する回転つまみ３８０の回転中心軸を中心に同心円状に設けられており、内側のリング状の突起が表示部側軸支部３３３を構成している。表示部３３１の上面中央には円形に凹んで前記押釦つまみ３１０の本体部３１１を収納するつまみ収納部３３５が設けられている。表示部３３１の表面（上面）には、指標３３７が設けられている。この例では各指標３３７は下記する４つの押圧スイッチ４４７の上部の位置にそれぞれ設けられており、回転つまみ３８０を揺動した際の各種操作の内容を示している。
【００５２】
軸部３５１は表示部３３１の下面中央から下方向に向かって略柱状に突出しており、その下端面からは複数（３つ）の取付部３５３が突出している。軸部３５１の中央にはこれを上下に貫通する開口３５５が設けられており、その形状は前記押釦つまみ３１０の押圧部３１３及びガイド突起３１７をぴったり挿入する形状、つまり円形部分の外周から矩形状の部分を突出する鍵穴形状に形成されている。
【００５３】
回転つまみ３８０は合成樹脂の成形品であり、略円板状に成形され、その上面に円形凹状の表示部収納部３８１を設け、その中央に円形の貫通孔からなる開口部３８３を設け、その下面を取付面３８５として構成している。表示部収納部３８１の内径寸法は前記表示部材３３０の表示部３３１の外径寸法よりも若干大きく形成されている。表示部収納部３８１の深さ寸法は、前記表示部３３１の厚み寸法よりも大きく形成されている。表示部収納部３８１の底面の開口部３８３を囲む位置には一部が切り欠かれたリング状の凸部からなる回転体側軸支部３８７が形成されている。回転体側軸支部３８７の内径寸法は、前記表示部材３３０の表示部側軸支部３３３の外径寸法と略同一であり、回転体側軸支部３８７の内側に表示部側軸支部３３３を回動自在に挿入して回転つまみ３８０を回転自在に軸支するように形成している。開口部３８３の内径寸法は、その内部に前記表示部材３３０の軸部３５１及び底面側部分３３６を挿入できる寸法となっている。回転つまみ３８０の表示部収納部３８１の外側を囲むリング状の部分は、つまみ操作部３８９となっている。回転つまみ３８０の取付面３８５には複数（図６では１つのみ示すが、実際は３つ）の小突起からなる取付部３９１が形成されている。各取付部３９１は下記するクリック板４１０の各被取付部４１７に対向する位置に設けられている。また取付面３８５の周囲を囲む位置にはリング状に突出する当接部３９３が設けられている。また表示部材収納部３８１の底面には、上下に貫通する小孔からなる位置決め孔３９５が形成されている。位置決め孔３９５は回転つまみ３８０にクリック板４１０等を自動組み立てによって取り付ける際に組立治具に設けたピンに挿入してその位置決めを行うためのものである。
【００５４】
クリック板４１０は、弾性金属板（例えばステンレス板）をリング状に形成した取付部４１１と、取付部４１１の内側の開口４１２内にリング状に配置された一対の半円弧状の弾接アーム４１３とを一体に形成して構成されている。弾接アーム４１３の中央の円形の開口部４１５の内径は、前記表示部材３３０の軸部３５１を挿入できる寸法に形成されている。取付部４１１には前記回転つまみ３８０の各取付部３９１を挿入する小孔からなる被取付部４１７が複数（３つ）設けられている。各弾接アーム４１３は、それらの根元部分が一対の連結部４１９によって取付部４１１の内周に連結され、この根元部分において弾接アーム４１３は下方向に傾くように折り曲げられている。両弾接アーム４１３のそれぞれ中央位置には下方向に突出するように湾曲するクリック弾接部４１４が設けられている。
【００５５】
摺動子板４２０は前述の摺動子板１１０と同一の部材なので、その詳細な説明は省略する。なお摺動子板１１０の開口１１１，取付固定部１１３，摺動冊子１１５，摺動接点１１７は、それぞれ摺動子板４２０の開口４２１，取付固定部４２３，摺動冊子４２５，摺動接点４２７に相当する。
【００５６】
取付台４５０は合成樹脂を略円板状に成形して構成されており、その外周にはこれを囲む取付台保持部４５３が取り付けられている。取付台４５０の中央には押釦つまみ３１０の押圧部３１３及びガイド突起３１７を挿通する押圧部挿通孔４５５が設けられている。押圧部挿通孔４５５の形状は、円形部分の外周から矩形状部分を突出する形状、言い換えれば鍵穴形状に形成されており、矩形状部分が突出する方向を前記表示部材３３０の開口３５５の矩形状部分が突出する方向と１８０°逆向きにしている。また押圧部挿通孔４５５の円形部分の周囲上面には、前記表示部材３３０の開口３５５の矩形状部分に挿入される塞ぎ部４５７が形成されている。また取付台４５０上面の押圧部挿通孔４５５の周囲には、リング状の軸部当接面４５９が設けられ、さらに軸部当接面４５９の周囲を囲む位置にはリング形状の凹凸からなるクリック係合部４６１が設けられている。軸部当接面４５９中には、前記表示部材３３０に設けた各取付部３５３を挿入する貫通孔からなる被取付部４６３が形成されている。取付台４５０の上面の外周近傍部分には、複数（５つ）の小突起からなる基板係止部４６５が設けられている。また取付台４５０の下面の下記する各押圧スイッチ４４７に対向する位置（４か所）にはそれぞれ下方向に向かって突出する柱状の押圧部４６７（図６参照）が形成されている。
【００５７】
取付台保持部４５３は、取付台４５０の外周を囲む位置に設置されており、略平板リング状でその全体が上下方向に可撓性を有する厚みに形成されている。取付台保持部４５３はその１か所が切り欠かれており、切り欠かれた部分が基板挿通部４６９となっている。取付台保持部４５３と取付台４５０間は、等間隔に配置した複数（４つ）の平板薄板状の連結部４７１によって連結されており、これら各部分は一体の成形品で構成されている。連結部４７１も上下方向に可撓性を有している。取付台保持部４５３の下面には複数（４つ）の固定部４７３が等間隔に下方向に向かって突設されている。各固定部４７３は各連結部４７１の中間に位置するように設けられている。
【００５８】
第１回路基板部４３１と第２回路基板部４３５を構成する１枚のフレキシブル回路基板４３０は、可撓性を有する合成樹脂フイルム上に所望の回路パターンを設けて構成されており、両者は帯状の連結部４４９によって連結されている。
【００５９】
第１回路基板部４３１は略円形の外形を有し、中央に取付台４５０のクリック係合部４６１を挿通する円形の開口部４３３を設け、またその上面の開口部４３３の周囲に所望の摺接パターン４３７を設けて構成されている。摺接パターン４３７は、図では詳細な記載を省略しているが、この例ではスイッチパターンである。また第１回路基板部４３１の外周近傍部分の前記取付台４５０の各基板係止部４６５に対向する複数（５か所）の位置には貫通孔又は凹部からなる挿通部４３９が設けられている。
【００６０】
第２回路基板部４３５はその上面に中央スイッチ４４５を設置し、中央スイッチ４４５の周囲の同心円周上の等間隔（９０°間隔）の４か所の位置に押圧スイッチ４４７を設置して構成されている。各スイッチ４４５，４４７の構造は、前記中央スイッチ１８３及び押圧スイッチ１８５の構造と同じである。また前記取付台４５０の各固定部４７３に対向する位置にはそれぞれ貫通孔からなる被取付部４４８が形成されている。なお摺接パターン４３７と中央，押圧スイッチ４４５，４４７とはフレキシブル回路基板４３０の表裏異なる面に形成されており、連結部４４９の部分を折り返すことでそれぞれが上向きとなるようにしている。
【００６１】
支持部材５００は硬質板（例えば金属板や硬質合成樹脂板）によって構成されており、前記取付台４５０の各固定部４７３に対向する位置に貫通孔からなる被取付部５０１を形成している。
【００６２】
次に回転式電子部品１−２の組み立て方法を説明する。まず予め回転つまみ３８０の取付面３８５にクリック板４１０と摺動子板４２０とを重ねて載置する。このとき回転つまみ３８０の各取付部３９１をクリック板４１０の各被取付部４１７と摺動子板４２０の各取付固定部４２３に挿入し、各取付部３９１の先端を熱かしめすることで、クリック板４１０と摺動子板４２０を回転つまみ３８０に取り付け、これによって重ね合わせたクリック板４１０と摺動子板４２０によって構成される重合板４００を、回転つまみ３８０の下面に一体に固定する。
【００６３】
図１０は重合板４００のみを単独で示した裏面図である。同図に示すように重合板４００は、摺動子板４２０の摺動接点４２７を、この摺動子板４２０のクリック板４１０を重ね合わせる面の反対面側（図１０の紙面手前側）に向かって突出させ、一方クリック板４１０のクリック弾接部４１４を、このクリック板４１０を摺動子板４２０と重ね合わせた際に、摺動子板４２０の内部の開口４２１を貫通して前記摺動接点４２７が突出している側（図１０の紙面手前側）に向けて突出させる構成となっている。
【００６４】
一方図９に示すように、第１回路基板部４３１を取付台４５０上に載置し、その際取付台４５０の各基板係止部４６５を第１回路基板部４３１の各挿通部４３９に挿入し、その先端を熱かしめすることで取付台４５０上に第１回路基板部４３１を取り付ける。このときフレキシブル回路基板４３０の連結部４４９を取付台４５０に設けた基板挿通部４６９に通すことで、取付台４５０と取付台保持部４５３間の隙間に挿入しておく。
【００６５】
次に表示部材３３０のつまみ収納部３３５内に押釦つまみ３１０を挿入し、その押圧部３１３を表示部材３３０の開口３５５に挿入する。このとき押釦つまみ３１０のガイド突起３１７を開口３５５の矩形状の部分に挿入し、軸部３５１の下面側に突出したガイド突起３１７を１８０°回転しておく。図８には、押釦つまみ３１０を１８０°回転した後の状態を示しているので、ガイド突起３１７と前記開口３５５の矩形状の部分の方向が１８０°異なっている。
【００６６】
次に上記押釦つまみ３１０を装着した表示部材３３０を、上記重合板４００を取り付けた回転つまみ３８０の表示部収納部３８１内に挿入し、その際表示部材３３０の軸部３５１を回転つまみ３８０の開口部３８３及びクリック板４１０の開口部４１５及び摺動子板４２０の開口４２１に挿通する。
【００６７】
次に上記各部品を搭載した回転つまみ３８０を、上記取付台４５０に取り付けた第１回路基板部４３１上に載置し、その際表示部材３３０の軸部３５１を取付台４５０のクリック係合部４６１の内側に挿入し、その下面を軸部当接面４５９上に載置する。このとき軸部３５１下面の各取付部３５３を取付台４５０の各被取付部４６３に挿入し、その先端を取付台４５０の下面において熱かしめする。
【００６８】
取付台４５０上に表示部材３３０を載置した際、取付台４５０の塞ぎ部４５７が表示部材３３０の開口３５５の矩形状の部分に挿入されてこれを塞ぎ、開口３５５は円形部分のみとなり、押釦つまみ３１０の押圧部３１３が確実にガイドされる。
【００６９】
そしてこの取付台４５０を、支持部材５００上に載置した第２回路基板部４３５上に載置し、その際取付台４５０の各固定部４７３を第２回路基板部４３５の被取付部４４８と支持部材５００の被取付部５０１に挿入し、その先端を支持部材５００の下面で熱かしめする。これによって回転式電子部品１−２が完成する。
【００７０】
以上のように構成された回転式電子部品１−２において、回転つまみ３８０を回転すると、回転つまみ３８０に取り付けた摺動子板４２０が回転つまみ３８０と一体に回転し、その摺動接点４２７が摺接パターン４３７上を摺動することで摺接パターン４３７からの検出出力が変化する。同時に回転つまみ３８０と一体にクリック板４１０が回転してそのクリック弾接部４１４が取付台４５０のクリック係合部４６１の凹凸を乗り越えてゆき、クリック感覚が生じる。ところでクリック弾接部４１４がクリック係合部４６１の凸の部分に乗り上げる際、回転つまみ３８０の開口部３８３にクリック板４１０の弾接アーム４１３が面しているので、乗り上げて上昇したクリック弾接部４１４及び弾接アーム４１３は回転つまみ３８０の開口部３８３内に入り込む。つまり別途クリック弾接部４１４と弾接アーム４１３が上下動するスペースを回転つまみ３８０と取付台４５０の間に設ける必要がなく、回転式電子部品１−２の薄型化が図れる。
【００７１】
次に押釦つまみ３１０の本体部３１１を押圧すれば、押釦つまみ３１０が下降してその押圧部３１３が中央スイッチ４４５の反転板を押圧して反転し、中央スイッチ４４５がオンする。押釦つまみ３１０への押圧を解除すれば反転板の弾性復帰力によって押釦つまみ３１０は元の位置に戻り、中央スイッチ４４５はオフする。
【００７２】
また回転つまみ３８０のつまみ操作部３８９の各指標３３７の何れかに対応する上面部分（その指標３３７の半径方向外側の上面部分）を下方向に向けて押圧すれば、回転つまみ３８０や表示部材３３０や押釦つまみ３１０等、取付台４５０上に設置されている各構成部品全体が取付台４５０と一体に押圧された方向に傾いて揺動し、下降した側の押圧部４６７が対向する押圧スイッチ４４７の反転板を押圧して反転し、押圧スイッチ４４７がオンする。取付台４５０は、連結部４７１及び取付台保持部４５３が撓むことで傾く。回転つまみ３８０への押圧を解除すれば、撓んだ連結部４７１及び取付台保持部４５３の元の形状への弾発力と、反転している反転板の弾性復帰力とによって、回転つまみ３８０及び取付台４５０等の揺動していた全構成部品が一体に元の位置に自動復帰し、押圧スイッチ４４７はオフする。
【００７３】
ここで回転つまみ３８０及びこれと一体に回転する重合板４００を回転側部材といい、回転つまみ３８０の回転方向に対して静止しているそれ以外の各構成部品、即ち押釦つまみ３１０，表示部材３３０，第１回路基板部４３１，取付台４５０，第２回路基板部４３５，支持部材５００を静止側部材ということとすると、上記回転式電子部品１−２は、摺接パターン４３７を形成すると共にクリック係合部４６１を設けてなる静止側部材と、静止側部材に対して回転自在に設置されると共に前記摺接パターン４３７に摺接する摺動接点４２７を有する摺動子板４２０と前記クリック係合部４６１に弾接するクリック弾接部４１４を有するクリック板４１０とを取り付けてなる回転側部材とを具備し、前記摺動子板４２０とクリック板４１０とを重ね合わせた重合板４００を前記回転側部材に取り付けて構成されているということができる。このように摺動子板４２０とクリック板４１０とを重ね合わせて設置したので、摺動子板４２０及び摺接パターン４３７からなる検出手段と、クリック板４１０及びクリック係合部４６１からなるクリック機構とを重合板４００の一方の面側の同一のスペース（回転つまみ３８０と取付台４５０の間の隙間スペース）に設置でき、これによって回転式電子部品１−２の厚みの薄型化が図れる。
【００７４】
さらに詳しく言えば、この回転式電子部品１−２においては、摺動子板４２０を、中央に開口４２１を有すると共にこの開口４２１の周囲を囲むように摺動冊子４２５を配置し、この摺動冊子４２５中に摺動接点４２７を設けて構成し、さらにこの摺動接点４２７を摺動子板４２０のクリック板４１０を重ね合わせる面の反対面側に向かって突出させ、一方クリック板４１０のクリック弾接部４１４を、このクリック板４１０を摺動子板４２０と重ね合わせた際に、摺動子板４２０の開口４２１を貫通して摺動接点４２７が突出している側に向けて突出するように構成している。このように構成したので、摺動子板４２０の摺動接点４２７とクリック板４１０のクリック弾接部４１４が同一方向を向き、これによって検出手段とクリック機構を前述のように重合板４００の一方の面側の同一のスペースに形成できる。従って、上記引用文献１の多機能型の電子部品のように回転つまみの上下のスペースにそれぞれ検出手段とクリック機構とを設置する必要がなく、回転式電子部品１−２の厚みの薄型化が図れる。またクリック板４１０のクリック弾接部４１４が摺動子板４２０の開口４２１を貫通する構成なので、摺動子板４２０の摺動接点４２７の内側の空きスペースにクリック弾接部４１４及びこれが弾接するクリック係合部４６１を配置でき、これによって回転式電子部品１−２の外径の小型化が図れる。
【００７５】
さらに詳しく言えば、この回転式電子部品１−２は、回転側部材を中央に開口部３８３を有する回転つまみ３８０を具備して構成し、一方前記静止側部材を前記回転つまみ３８０の下部に設置され摺接パターン４３７を形成した第１回路基板部４３１と、前記第１回路基板部４３１の前記摺接パターン４３７を設けた中央位置に立設する軸部３５１とこの軸部３５１から半径方向外方であって前記回転つまみ３８０の上面側に張り出す表示部３３１とを有する表示部材３３０とを具備して構成し、前記回転つまみ３８０の前記第１回路基板部４３１に対向する側の面に重合板４００を取り付け、前記第１回路基板部４３１の摺接パターン４３７を設けた内側の前記軸部４５１の周囲の位置にクリック係合部４６１を配置している。このように構成することによって、回転つまみ３８０の中央に表示部材３３０を配置し、回転つまみ３８０の下側に第１回路基板部４３１を設置してなる構造の回転式電子部品１−２に本発明を効果的に適用することができる。
【００７６】
図１１〜図１５は、本発明の他の実施形態に係る重合板６００−１〜６００−５を示す側断面図である。各図の断面部分は、図１の断面部分と同一部分である。まず図１１に示す重合板６００−１は、摺動子板６１０−１とクリック板６２０−１とを重ね合わせ、その際摺動子板６１０−１の摺動接点６１１−１を摺動子板６１０−１のクリック板６２０−１を重ね合わせる面の反対面側（下向き）に向けて突出させ、一方クリック板６２０−１のクリック弾接部６２１−１をクリック板６２０−１の摺動子板６１０−１を重ね合わせる面の反対面側（上向き）に向けて突出させて構成している。つまり摺動接点６１１−１とクリック弾接部６２１−１は逆方向に向けて突出している。このように構成した場合、静止側部材に設ける摺接パターンは重合板６００−１の下側に配置され、静止側部材に設けるクリック係合部は重合板６００−１の上側に配置される。従ってそのような配置に合う構造の回転式電子部品にこの重合板６００−１を適用することができる。
【００７７】
重合板６００−１をこのように構成すれば、重合板６００−１の一方の面側のスペースに摺動子板６１０−１等からなる検出手段を配置し、重合板６００−１の他方の面側のスペースにクリック板６２０−１等からなるクリック機構を配置することになるので、重合板２００，４００の場合に比べれば回転式電子部品の厚みは厚くなるが、検出手段とクリック機構を重合板６００−１を挟んだ上下に接するスペースに設置することができるので、従来に比べれば回転式電子部品の小型化・厚みの薄型化が図れる。例えば特許文献１の多機能型の電子部品の場合は、摺動子（１１０）と摺接パターン（１７９）からなる検出手段を回転つまみ（１００）の下側に設置し、一方表示部（１１）に取り付けたクリック板（４０）と回転つまみ（１００）に設けたクリック係合部（１０７）からなるクリック機構を回転つまみ（１００）の上側に設置しているが、表示部（１１）の下面に弾接部（４９）を挿入するための弾接部挿入部（１７）を設ける必要が生じてその分電子部品の厚みが厚くなる。これに対して重合板６００−１を用いた場合、クリック弾接部６２１−１を摺動子板６１０−１側に移動させるので、移動の際は検出手段を設置するスペース内にクリック弾接部６２１−１を挿入させればよく、その分回転式電子部品の厚みの薄型化が図れる。またこの重合板６００−１を回転式電子部品１−１のように静止側部材からの抜け防止部材に兼用することができ、これによっても回転式電子部品の構造の簡素化や薄型化が図れる。以上の作用・効果は以下の重合板６００−２，４，５においても同様に生じる。
【００７８】
図１２に示す重合板６００−２は、摺動子板６１０−２とクリック板６２０−２とを図１１の場合と上下逆向きに重ね合わせたものであり、その際摺動子板６１０−２の摺動接点６１１−２を摺動子板６１０−２のクリック板６２０−２を重ね合わせる面の反対面側（上向き）に向けて突出させ、一方クリック板６２０−２のクリック弾接部６２１−２をクリック板６２０−２の摺動子板６１０−２を重ね合わせる面の反対面側（下向き）に向けて突出させて構成している。このように構成した場合、静止側部材に設ける摺接パターンは重合板６００−２の上側に配置され、静止側部材に設けるクリック係合部は重合板６００−２の下側に配置される。従ってそのような配置に合う構造の回転式電子部品にこの重合板６００−２を適用することができる。
【００７９】
図１３に示す重合板６００−３も、摺動子板６１０−３とクリック板６２０−３とを重ね合わせることで構成されている。摺動子板６１０−３はリング状の基部６１７−３の中央に形成される開口６１３−３中に摺動冊子６１５−３を配置し、この摺動冊子６１５−３中に摺動接点６１１−３を設けて構成されている。基部６１７−３と摺動冊子６１５−３の間は図示しない連結部によって連結されている。一方クリック板６２０−３は、リング形状に形成された取付部６２３−３の中央の円形の開口６２５−３内にリング形状の弾接アーム部６２７−３を図示しない一対の連結部によって連結して構成されている。弾接アーム部６２７−３には一対のクリック弾接部６２１−３が１８０°対向する位置に設けられている。そして摺動子板６１０−３とクリック板６２０−３とを重ね合わせた際、摺動子板６１０−３の摺動接点６１１−３を摺動子板６１０−３のクリック板６２０−３を重ね合わせる面の反対面側（下向き）に向けて突出させ、一方クリック板６２０−３のクリック弾接部６２１−３を摺動子板６１０−３の開口６１３−３を貫通してクリック板６２０−３の摺動子板６１０−３を重ね合わせる面側（下向き）に向けて突出させている。つまり摺動接点６１１−３とクリック弾接部６２１−３は同一方向（下向き）に向けて突出している。このように構成した場合、静止側部材に設ける摺接パターンと静止側部材に設けるクリック係合部は、何れも重合板６００−３の下側に配置される。従ってそのような配置に合う構造の回転式電子部品にこの重合板６００−３を適用することができる。この重合板６００−３の場合、重合板２００，４００の場合と同様の回転式電子部品の厚みの薄型化が図れる。
【００８０】
図１４に示す重合板６００−４は、前記重合板６００−３で用いた摺動子板６１０−３及びクリック板６２０−３と同一の摺動子板６１０−４及びクリック板６２０−４を用いており、相違する点はその重ね合わの向きだけである。即ちこの重合板６００−４の場合、摺動子板６１０−４の摺動接点６１１−４を摺動子板６１０−４のクリック板６２０−４を重ね合わせる面の反対面側（下向き）に向けて突出させ、一方クリック板６２０−４のクリック弾接部６２１−４をクリック板６２０−４の摺動子板６１０−４を重ね合わせる面の反対面側（上向き）に向けて突出させている。このように構成した場合、静止側部材に設ける摺接パターンは重合板６００−４の下側に配置され、静止側部材に設けるクリック係合部は重合板６００−４の上側に配置される。従ってそのような配置に合う構造の回転式電子部品にこの重合板６００−４を適用することができる。
【００８１】
図１５に示す重合板６００−５は、摺動子板６１０−５とクリック板６２０−５とを図１４の場合と上下逆向きに重ね合わせたものであり、その際摺動子板６１０−５の摺動接点６１１−５を摺動子板６１０−５のクリック板６２０−５を重ね合わせる面の反対面側（上向き）に向けて突出させ、一方クリック板６２０−５のクリック弾接部６２１−５をクリック板６２０−５の摺動子板６１０−５を重ね合わせる面の反対面側（下向き）に向けて突出させている。このように構成した場合、静止側部材に設ける摺接パターンは重合板６００−５の上側に配置され、静止側部材に設けるクリック係合部は重合板６００−５の下側に配置される。従ってそのような配置に合う構造の回転式電子部品にこの重合板６００−５を適用することができる。
【００８２】
さらに別の重合板として図示はしないが、図５に示す重合板２００や図１０に示す重合板４００の上下を逆転させた構成の重合板もある。この重合板の場合、クリック板の上に摺動子板を積層し、その際摺動子板の摺動接点を上向きに突出させ、一方クリック板のクリック弾接部を摺動子板中央の開口を貫通して前記摺動接点が突出している側（上側）に向けて突出させる構成である。重合板をこのように構成した場合、静止側部材に設ける摺接パターンは重合板の上側に配置され、静止側部材に設けるクリック係合部も重合板の上側に配置される。従ってそのような配置に合う構造の回転式電子部品にこの重合板を適用することができる。
【００８３】
さらに別の重合板として図示はしないが、図１３に示す重合板６００−３の上下を逆転させた構成の重合板もある。この重合板の場合、クリック板の上に摺動子板を積層し、その際摺動子板の摺動接点を上向きに突出させ、一方クリック板のクリック弾接部も上向きに突出させる構成である。重合板をこのように構成した場合、静止側部材に設ける摺接パターンと静止側部材に設けるクリック係合部は、何れも重合板の上側に配置される。従ってそのような配置に合う構造の回転式電子部品にこの重合板を適用することができる。
【００８４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、クリック板の形状・構造は、種々の変更が可能であり、要は、静止側部材に設けたクリック係合部に弾接するクリック弾接部を有するクリック板であれば、どのような形状・構造であっても良い。また摺動子板の形状・構造も種々の変更が可能であり、要は、静止側部材に設けた摺接パターンに摺接する摺動接点を有する摺動子板であれば、どのような形状・構造であっても良い。また重合板は摺動子板とクリック板とを重ね合わせて構成されるが、両者の間に薄板状の他の部材を介在させても良い。また上記各回転式電子部品１−１，１−２では回転式電子部品の他に、押圧式電子部品と揺動式電子部品の構成要素（構成部品）を加えることで多機能型の電子部品としているが、押圧式電子部品や揺動式電子部品の構成要素は省略しても良い。
【００８５】
また上記回転式電子部品１−１では、重合板２００を構成するクリック板７０の外周全体をケース５０の軸支孔５３の内径よりも大きく形成したが、クリック板７０の外周の一部のみを軸支孔５３の内径よりも大きくすることで重合板２００の抜けを防止しても良い。また摺動子板１１０の外径（その一部でも良い）をクリック板７０の外径よりも大きくし、この摺動子板１１０によって重合板２００の抜けを防止しても良い。
【００８６】
また上記クリック板７０（他の実施形態のクリック板も同様）では、両クリック弾接部７９が何れも取付部７１に対して、一対の連結部７７によって両持ち状に取り付けられているが、何れか一方の連結部７７を省略すること等によって片持ち状に取り付けても良い。また上記クリック板７０では一対のクリック弾接部７９が設けられているが、クリック弾接部７９は１つ又は３つ以上設置しても良い。また上記摺動子板１１０（他の実施形態の摺動子板も同様）では、摺動冊子１１５及び摺動接点１１７を３組設けたが、１組又は３組以外の複数組設けても良い。
【符号の説明】
【００８７】
１−１  回転式電子部品
１０  回転つまみ（回転体、回転側部材）
１７  軸部
３０  押釦つまみ（静止側部材）
５０  ケース（静止側部材）
５３  軸支孔
７０  クリック板（回転側部材）
７９  クリック弾接部
１１０  摺動子板（回転側部材）
１１１  開口
１１５  摺動冊子
１１７  摺動接点
１３０  支持部材（静止側部材）
１５０  取付台（静止側部材）
１６５  クリック係合部
１７０  フレキシブル回路基板（回路基板、静止側部材）
１７１  第１回路基板部（回路基板、静止側部材）
１７５  第２回路基板部（回路基板、静止側部材）
１７９  摺接パターン
１９０  保持板（保持部材、静止側部材）
２００  重合板（回転側部材）
１−２  回転式電子部品
３１０  押釦つまみ（静止側部材）
３３０  表示部材（静止側部材）
３３１  表示部
３５１  軸部
３８０  回転つまみ（回転体、回転側部材）
３８３  開口部
４１０  クリック板（回転側部材）
４１４  クリック弾接部
４２０  摺動子板（回転側部材）
４２１  開口
４２５  摺動冊子
４２７  摺動接点
４３０  フレキシブル回路基板（回路基板、静止側部材）
４３１  第１回路基板部（回路基板、静止側部材）
４３５  第２回路基板部（回路基板、静止側部材）
４３７  摺接パターン
４５０  取付台（静止側部材）
４６１  クリック係合部
５００  保持板（支持部材、静止側部材）
４００  重合板
６００−１〜６００−５  重合板
６１０−１〜６１０−５  摺動子板
６１１−１〜６１１−５  摺動接点
６２０−１〜６２０−５  クリック板    
６２１−１〜６２１−５  クリック弾接部
【図１】
0005765992.tif 000002
【図２】
0005765992.tif 000003
【図３】
0005765992.tif 000004
【図４】
0005765992.tif 000005
【図５】
0005765992.tif 000006
【図６】
0005765992.tif 000007
【図７】
0005765992.tif 000008
【図８】
0005765992.tif 000009
【図９】
0005765992.tif 000010
【図１０】
0005765992.tif 000011
【図１１】
0005765992.tif 000012
【図１２】
0005765992.tif 000013
【図１３】
0005765992.tif 000014
【図１４】
0005765992.tif 000015
【図１５】
0005765992.tif 000016